(57)【特許請求の範囲】
【請求項１】
外装を構成するケースと、縦横の寸法よりも小さい厚さを有する扁平な板状のハードディスク装置とを備える電子機器であって、
前記ケースには、前記厚さに対応した深さを有し前記ハードディスク装置が収容されるハードディスク用収容部と、前記ハードディスク用収容部の深さ方向に沿って前記ハードディスク装置が装脱される開口と、前記開口を開閉するカバーとが設けられ、
前記カバーまたは前記ケースの一方に、前記カバーで前記開口が閉塞された状態で前記ハードディスク用収容部の深さ方向に平行して突出する第１係合凸部が設けられると共に、他方に、前記カバーで前記開口が閉塞された状態で前記第１係合凸部に係合し前記ハードディスク用収容部の深さ方向と直交する方向への前記カバーの移動を阻止する第１係合溝が設けられ、
前記カバーまたは前記ケースの一方に、前記ハードディスク用収容部の深さ方向と直交する方向に突出する第２係合凸部が設けられると共に、他方に、前記カバーで前記開口が閉塞された状態で前記第２係合凸部に係合して前記ハードディスク用収容部の深さ方向と平行する方向への前記カバーの移動を阻止する第２係合溝が設けられている、
ことを特徴とする電子機器。
【請求項２】
前記開口は矩形を呈し、
前記カバーは、前記開口を閉塞する大きさの矩形の本体板部と、前記本体板部の４つの辺のうちの１つ辺に連結され前記本体板部と交差する方向に突出する第１カバー側合わせ部とを備え、
前記ケースは、前記本体板部で前記開口が閉塞された状態で前記第１カバー側合わせ部が重ね合わされる第１ケース側合わせ部を備え、
前記第１係合凸部または前記第１係合溝の一方は前記第１カバー側合わせ部に設けられると共に、他方は前記第１ケース側合わせ部に設けられ、
前記第２係合凸部または前記第２係合溝の一方は前記第１カバー側合わせ部に設けられると共に、他方は前記第１ケース側合わせ部に設けられている、
ことを特徴とする請求項１記載の電子機器。
【請求項３】
外装を構成するケースと、縦横の寸法よりも小さい厚さを有する扁平な板状のハードディスク装置とを備える電子機器であって、
前記ケースには、前記厚さに対応した深さを有し前記ハードディスク装置が収容されるハードディスク用収容部と、前記ハードディスク用収容部の深さ方向に沿って前記ハードディスク装置が装脱される開口と、前記開口を開閉するカバーとが設けられ、
前記カバーに、前記カバーで前記開口が閉塞された状態で前記ハードディスク用収容部の深さ方向に平行して突出する第１係合凸部と、前記ハードディスク用収容部の深さ方向と直交する方向に突出する第２係合凸部とが設けられ、
前記ケースに、前記カバーで前記開口が閉塞された状態で前記第１係合凸部に係合し前記ハードディスク用収容部の深さ方向と直交する方向への前記カバーの移動を阻止する第１係合溝と、前記第２係合凸部に係合して前記ハードディスク用収容部の深さ方向と平行する方向への前記カバーの移動を阻止する第２係合溝とが設けられている、
ことを特徴とする電子機器。
【請求項４】
前記開口は矩形を呈し、
前記カバーは、前記開口を閉塞する大きさの矩形の本体板部と、前記本体板部の４つの辺のうちの１つ辺に連結され前記本体板部と交差する方向に突出する第１カバー側合わせ部とを備え、
前記ケースは、前記本体板部で前記開口が閉塞された状態で前記第１カバー側合わせ部が重ね合わされる第１ケース側合わせ部を備え、
前記第１係合凸部と前記第２係合凸部は前記第１カバー側合わせ部に設けられ、
前記第１係合溝と前記第２係合溝は前記第１ケース側合わせ部に設けられている、
ことを特徴とする請求項３記載の電子機器。
【請求項５】
前記第１カバー側合わせ部は、前記本体板部に湾曲部を介して連結され、
前記湾曲部が前記ハードディスク用収容部に臨む内面とその反対の面である外面は、前記本体板部で前記開口が閉塞され前記第１カバー側合わせ部が前記第１ケース側合わせ部に重ね合わされた状態で前記ハードディスク用収容部の外方に凸状の湾曲面でそれぞれ形成されていることを特徴とする請求項２または４記載の電子機器。
【請求項６】
前記第１カバー側合わせ部は、前記本体板部と直交する方向に延在しかつ前記１つ辺の全長にわたって延在する第１板部を含んで構成されていることを特徴とする請求項２または４記載の電子機器。
【請求項７】
前記第１係合凸部は１つ設けられ、
前記第２係合凸部は、前記１つの辺の延在方向において前記第１係合凸部を挟む箇所に位置するように２つ設けられていることを特徴とする請求項２または４記載の電子機器。
【請求項８】
前記本体板部で前記開口が閉塞され、前記第１カバー側合わせ部が前記第１ケース側合わせ部に重ね合わされた状態で、前記本体板部のねじ挿通孔に挿通されたねじにより前記カバーが前記ケースに取着されていることを特徴とする請求項２または４記載の電子機器。
【請求項９】
前記カバーは、前記本体板部の４つの辺のうちの前記１つ辺に対向する別の１つの辺に連結され前記本体板部と交差する方向に突出する第２カバー側合わせ部を備え、
前記ケースは、前記本体板部で前記開口が閉塞された状態で前記第２カバー側合わせ部が重ね合わされる第２ケース側合わせ部を備え、
前記第１カバー側合わせ部と前記第２カバー側合わせ部は対向していることを特徴とする請求項２または４記載の電子機器。
【請求項１０】
前記第２カバー側合わせ部は、前記本体板部に湾曲部を介して連結され、
前記湾曲部が前記ハードディスク用収容部に臨む内面とその反対の面である外面は、前記本体板部で前記開口が閉塞され前記第２カバー側合わせ部が前記第２ケース側合わせ部に重ね合わされた状態で前記ハードディスク用収容部の外方に凸状の湾曲面でそれぞれ形成されていることを特徴とする請求項９記載の電子機器。
【請求項１１】
前記第２カバー側合わせ部は、前記本体板部と直交する方向に延在しかつ前記別の１つ辺に沿って延在する第２板部を含んで構成されていることを特徴とする請求項９記載の電子機器。
【請求項１２】
前記第２カバー側合わせ部は、前記本体板部で前記開口が閉塞され前記第２カバー側合わせ部が前記第２ケース側合わせ部に重ね合わされた状態で、前記第２板部に設けられた内面部と、前記第２ケース側合わせ部に設けられた外面部とが重ね合わされ、
前記本体板部で前記開口が閉塞され、前記第１カバー側合わせ部が前記第１ケース側合わせ部に重ね合わされ、前記第２カバー側合わせ部が前記第２ケース側合わせ部に重ね合わされた状態で、前記ねじ挿通孔に挿通されたねじにより前記カバーが前記ケースに取着されていることを特徴とする請求項１１記載の電子機器。
【請求項１３】
前記ハードディスク装置はその周囲にダンパーを装着した状態で前記ハードディスク用収容部に収容され、前記本体板部で前記開口が閉塞され、前記第１カバー側合わせ部が前記第１ケース側合わせ部に重ね合わされ、前記第２カバー側合わせ部が前記第２ケース側合わせ部に重ね合わされ、前記ねじ挿通孔を通り前記ねじ孔に螺合するねじにより前記カバーが前記ケースに取着された状態で、前記ダンパーの前記第１カバー側合わせ部寄りに位置する箇所は、前記本体板部が前記ハードディスク用収容部に臨む内面で前記第１カバー側合わせ部寄りに位置する箇所と前記ハードディスク用収容部の底部とにより挟持され、かつ、前記ダンパーの前記第２カバー側合わせ部寄りに位置する箇所は、前記本体板部が前記ハードディスク用収容部に臨む内面で前記第２カバー側合わせ部寄りに位置する箇所と前記ハードディスク用収容部の底部とにより挟持されることを特徴とする請求項１２記載の電子機器。
【請求項１４】
前記ケースは、上方を向いた上面と、下方を向いた底面と、側方を向いた側面とを有し、
前記ハードディスク用収容部は前記側面に設けられ、
前記本体板部で前記開口が閉塞され、前記第１カバー側合わせ部が前記第１ケース側合わせ部に重ね合わされ、前記第２カバー側合わせ部が前記第２ケース側合わせ部に重ね合わされた状態で、前記開口と反対に位置する前記本体板部の外面は、前記側面の一部を構成し、前記第１ケース側合わせ部と反対に位置する前記第１カバー側合わせ部の外面は、前記上面の一部を構成し、前記第２ケース側合わせ部と反対に位置する前記第２カバー側合わせ部の外面は、前記底面の一部を構成していることを特徴とする請求項９記載の電子機器。
【請求項１５】
前記第１カバー側合わせ部の外面は、前記上面と連続する仮想面上を延在し、前記第２カバー側合わせ部の外面は、前記底面と連続する仮想面上を延在していることを特徴とする請求項１４記載の電子機器。
【請求項１６】
前記カバーは合成樹脂製で、型により一体成形されていることを特徴とする請求項１または３記載の電子機器。
【請求項１７】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備える、
ことを特徴とする請求項１または３記載の電子機器。
【請求項１８】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記ケースは、前方を向いた前面と、上方を向いた上面と、下方を向いた底面と、側方を向いた側面とを有し、
前記撮影光学系は、前記前面から前方に臨むように設けられ、
前記ハードディスク用収容部は前記側面に設けられ、
前記カバーは前記側面を構成しており、
グリップベルトが前記側面の側方を通り前記ケースの前後部にわたって設けられ、
前記側面と前記グリップベルトとの間に手のひらが挿入されて前記側面を含む前記ケースの部分が把持される、
ことを特徴とする請求項１または３記載の電子機器。
【発明の詳細な説明】
【技術分野】
【０００１】
本発明はハードディスク装置を備える電子機器に関する。
【背景技術】
【０００２】
従来からビデオカメラなどの電子機器として、外装を構成するケースにスイッチなどの部材などを収容する収容部を設けるとともに、その収容部を開閉するカバーを設けたものが提供されている（特許文献１参照）。また、この電子機器ではカバーが手で把持するグリップの部分を構成している。
【特許文献１】特開平８−１１６４７９号公報
【発明の開示】
【発明が解決しようとする課題】
【０００３】
しかしながら、このような従来の電子機器では、カバーを開閉するためヒンジと、カバーを閉塞状態にロックするロック機構が設けられていることから部品点数が多く、小型化を図る上で不利があった。
また、ヒンジとロック機構を用いてカバーがケースに設けられているため、グリップを構成するカバーを手で把持したときに生じるがたつきを抑制する上でも不利があった。
一方、近年ではハードディスク装置が組み込まれたビデオカメラなどの電子機器が提供されている。
この種の電子機器では、ハードディスク装置に強い衝撃や振動が加わると内部の磁気ディスクやヘッド部分が互いに衝突して破損するおそれがあるため、ハードディスク装置の組み込みは、組み立て工程の最終段階で行われることが望ましい。
そこで、ハードディスク装置を収容するハードディスク用収容部をケースの側面に設け、組立工程の最終段階でハードディスク装置をハードディスク用収容部に収容し、ハードディスク用収容部をカバーで閉塞することが考えられる。
しかしながら、この場合にも、上記と同様に、部品点数が多く小型化を図る上で不利が生じ、カバーを手で把持したときに生じるがたつきを抑制する上でも不利が生じることが考えられる。
また、ハードディスク装置を備える電子機器では、販売後にハードディスク装置をより大きなデータ容量のハードディスク装置に交換することや、あるいは、ハードディスク装置を修理することなどが考えられ、このような場合に電子機器からハードディスク装置を簡単に装脱できることが好ましい。
本発明はこのような事情に鑑みなされたものであり、その目的は、部品点数の削減および小型化を図る上で有利であり、また、カバーのがたつきの抑制を図る上で有利で、また、組み立ての最終工程でハードディスク装置を組み込むことができ、更にはハードディスク装置を簡単に装脱できる電子機器を提供することにある。
【課題を解決するための手段】
【０００４】
上述の目的を達成するため、本発明は、外装を構成するケースと、縦横の寸法よりも小さい厚さを有する扁平な板状のハードディスク装置とを備える電子機器であって、前記ケースには、前記厚さに対応した深さを有し前記ハードディスク装置が収容されるハードディスク用収容部と、前記ハードディスク用収容部の深さ方向に沿って前記ハードディスク装置が装脱される開口と、前記開口を開閉するカバーとが設けられ、前記カバーまたは前記ケースの一方に、前記カバーで前記開口が閉塞された状態で前記ハードディスク用収容部の深さ方向に平行して突出する第１係合凸部が設けられると共に、他方に、前記カバーで前記開口が閉塞された状態で前記第１係合凸部に係合し前記ハードディスク用収容部の深さ方向と直交する方向への前記カバーの移動を阻止する第１係合溝が設けられ、前記カバーまたは前記ケースの一方に、前記ハードディスク用収容部の深さ方向と直交する方向に突出する第２係合凸部が設けられると共に、他方に、前記カバーで前記開口が閉塞された状態で前記第２係合凸部に係合して前記ハードディスク用収容部の深さ方向と平行する方向への前記カバーの移動を阻止する第２係合溝が設けられていることを特徴とする。
また本発明は、外装を構成するケースと、縦横の寸法よりも小さい厚さを有する扁平な板状のハードディスク装置とを備える電子機器であって、前記ケースには、前記厚さに対応した深さを有し前記ハードディスク装置が収容されるハードディスク用収容部と、前記ハードディスク用収容部の深さ方向に沿って前記ハードディスク装置が装脱される開口と、前記開口を開閉するカバーとが設けられ、前記カバーに、前記カバーで前記開口が閉塞された状態で前記ハードディスク用収容部の深さ方向に平行して突出する第１係合凸部と、前記ハードディスク用収容部の深さ方向と直交する方向に突出する第２係合凸部とが設けられ、前記ケースに、前記カバーで前記開口が閉塞された状態で前記第１係合凸部に係合し前記ハードディスク用収容部の深さ方向と直交する方向への前記カバーの移動を阻止する第１係合溝と、前記第２係合凸部に係合して前記ハードディスク用収容部の深さ方向と平行する方向への前記カバーの移動を阻止する第２係合溝とが設けられていることを特徴とする。
【発明の効果】
【０００５】
本発明によれば、第１、第２係合凸部がそれぞれ第１、第２係合溝に係合され、これにより何ら部品点数を増やすことなくハードディスク用収容部の深さ方向およびこの深さ方向と直交する方向のカバーの移動が確実に阻止される。したがってこの状態で、例えば、ねじなどを用いてカバーをケースに簡単に取り付けることが可能となる。また、ハードディスク用収容部をケースの側面などに設けることが可能となり、ハードディスク装置の組み込みを、組み立て工程の最終段階で行うことが可能となり、更にはハードディスク装置の装脱を簡単に行うことが可能となる。
【発明を実施するための最良の形態】
【０００６】
次に、本発明の実施の形態について図面を参照して説明する。
本実施の形態では、電子機器が撮像装置である場合について説明する。
図１、図２は撮像装置１０の斜視図、図３は撮像装置１０の分解斜視図、図４は撮像装置１０の右側面図、図５は撮像装置１０の左側面図、図６は撮像装置１０の正面図、図７は撮像装置１０の後面図、図８は撮像装置１０の平面図、図９は撮像装置１０の底面図である。
【０００７】
図１、図２に示すように、撮像装置１０はビデオカメラであり、動画、静止画、音声などのデータをハードディスク装置４４（図３、図１０参照）を用いて記録および再生するものである。
撮像装置１０は外装を構成するケース１２を有し、ケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２は、前方を向いた前面１２Ａと、後方を向いた後面１２Ｂと、上方を向いた上面１２Ｃと、下方を向いた底面１２Ｄと、左側方を向いた左側面１２Ｅと、右側方を向いた右側面１２Ｆとを有している。
ケース１２の上部の前部には、撮影光学系１４が組み込まれた鏡筒１６が前後に延在し、その前部がケース１２の前面１２Ａに臨むように設けられている。撮影光学系１４はズームレンズを有し、ズーム率が連続的に可変できるように構成されている。
鏡筒１６の後端には撮影光学系１４によって導かれた被写体像を撮像する撮像素子１８（図１０参照）が設けられている。
図１、図２に示すように、ケース１２の左側部には、撮像素子１８によって撮像された被写体像などを表示するための例えば液晶表示装置からなるディスプレイパネル２０が開閉可能に設けられ、このディスプレイパネル２０は閉じられた際にケース１２の左側面１２Ｅに重ね合わされる。なお、ケース１２の左側面１２Ｅにはスピーカ２２が設けられている。
図１に示すように、ケース１２の上面１２Ｃの前部には、ビデオライトやフラッシュライトなどのアクセサリーを着脱可能に装着するホットシュー２４が設けられている。
図２、図７、図９に示すように、ケース１２の後面１２Ｂには、バッテリー３８を装着するためのバッテリー装着部４０が設けられている。
図２、図９に示すように、ケース１２の底面１２Ｄにはマルチコネクタ４２が設けられており、マルチコネクタ４２は、図１０に示すように、撮像装置１０をクレードル２００に載置した際にクレードル２００側のマルチコネクタ２０２に接合されるものである。
図６に示すように、ケース１２の前面１２Ａの下部には、音声を収音するためのマイクロフォン２６が設けられている。
【０００８】
図１、図２に示すように、撮像装置１０には、撮影にまつわる種々の機能を実行するための操作スイッチとして、電源用操作スイッチ２８、静止画撮影用操作スイッチ３０、ズーム用操作スイッチ３２、モード切り換え用操作スイッチ３４、動画撮影用操作スイッチ３６などが設けられている。
電源用操作スイッチ２８、静止画撮影用操作スイッチ３０、ズーム用操作スイッチ３２、モード切り換え用操作スイッチ３４は、ケース１２の上面１２Ｃに設けられている。
動画撮影用操作スイッチ３６は、ケース１２の後面１２Ｂの上下方向の中間で右側面１２Ｆ寄りの箇所に設けられている。
電源用操作スイッチ２８は、撮像装置１０の電源のオン、オフを行うためのものである。
静止画撮影用操作スイッチ３０は、撮像素子１８による静止画の撮影を行うためのものである。
ズーム用操作スイッチ３２は、撮影光学系１４のズーム率を変化させるためのものである。
モード切り換え用操作スイッチ３４は、静止画撮影モードと動画撮影モードとを切り換えるためのものである。
動画撮影用操作スイッチ３６は、動画撮影のスタートとストップを行うためのものである。
【０００９】
図１０は撮像装置１０の制御系の構成を示すブロック図である。
図１０に示すように、撮像装置１０には、映像信号用増幅部１００２、画像データ処理部１００４、音声信号用増幅部１００６、音声データ処理部１００８、ディスプレイドライブ部１０１０、スピーカードライブ部１０１２、バッファメモリ１０１４、メモリ制御部１０１６、メモリカード制御部１０１８、インターフェース部１０２０、Ａ／Ｖ信号生成部１０２２、駆動電圧部１０２４、制御部１０２６、インターフェース部１０２８、記録再生部１０３０、ハードディスク装置４４、バス４６、ＵＳＢインターフェース部４７などが設けられている。
画像データ処理部１００４、音声データ処理部１００８、ディスプレイドライブ部１０１０、スピーカードライブ部１０１２、メモリ制御部１０１６、メモリカード制御部１０１８、インターフェース部１０２０、インターフェース部１０２８、記録再生部１０３０はバス４６に接続されている。
【００１０】
撮像素子１８で生成された撮像信号は映像信号用増幅部１００２で増幅され、画像データ処理部１００４に供給される。
画像データ処理部１００４は、撮像信号に所定の信号処理を行うことで、動画データおよび静止画データを生成し、記録再生部１０３０に供給される。
マイクロフォン２６で収音された音声信号は音声信号用増幅部１００６で増幅され、音声データ処理部１００８によって所定の信号処理がなされ音声データとして記録再生部１０３０に供給される。
【００１１】
記録再生部１０３０は、画像データ処理部１００４から供給された動画データおよび静止画データや音声データ処理部１００８から供給された音声データを制御部１０２６の制御にしたがって記録再生部１０３０に供給し、記録再生部１０３０は動画データおよび静止画データや音声データをハードディスク装置４４に記録する。
また、記録再生部１０３０は、画像データ処理部１００４から供給された動画データおよび静止画データや音声データ処理部１００８から供給された音声データをメモリカード制御部１０１８を介してメモリカード用スロット１０１９に装着された記録媒体としてのメモリカード２に記録する。
また、記録再生部１０３０は、画像データ処理部１００４から供給された動画データおよび静止画データを、ディスプレイドライブ部１０１０を介してディスプレイパネル２０に供給して画像の表示を行わせる。
また、記録再生部１０３０は、メモリカード制御部１０１８を介してメモリカード２から供給される動画データおよび静止画データを、ディスプレイドライブ部１０１０を介してディスプレイパネル２０に供給して画像の表示を行わせるとともに、メモリカード制御部１０１８を介してメモリカード２から供給されるから供給される音声データをスピーカードライブ部１０１２を介してスピーカ２２に供給して音声の出力を行わせる。
また、記録再生部１０３０は、ハードディスク装置４４から再生された動画データおよび静止画データを、ディスプレイドライブ部１０１０を介してディスプレイパネル２０に供給して画像の表示を行わせるとともに、ハードディスク装置４４から再生された音声データをスピーカードライブ部１０１２を介してスピーカ２２に供給して音声の出力を行わせる。
バッファメモリ１０１４は、メモリ制御回路１０１６、バス４６を介して画像データあるいは音声データを含むデータがリード、ライトされるものである。
【００１２】
制御部１０２６は、電源用操作スイッチ２８の操作によって撮像装置１０の電源のオン、オフを行う。
また、制御部１０２６は、静止画撮影用操作スイッチ３０の操作に基づいて画像データ処理部１００４および記録再生部１０３０に指令を与えることにより、画像データ処理部１００４から供給される静止画データを記録再生部１０３０に供給することで静止画データをハードディスク装置４４に記録させる。
また、制御部１０２６は、ズーム用操作スイッチ３２の操作に基づいて図略のズーム駆動部に指令を与えることにより、撮影光学系１４のズームレンズを移動させることにより、撮影光学系１４のズーム率を変化させる。
また、制御部１０２６は、モード切り換え用操作スイッチ３４の動作に基づいて画像データ処理部１００４に指令を与えることにより、画像データ処理部１００４によって動画データを生成させる動画撮影モードと、画像データ処理部１００４によって静止画データを生成させる静止画撮影モードとを切り換える。
なお、動画撮影モードでは、画像データ処理部１００４で生成された動画データが記録再生部１０３０を介してハードディスク装置４４またはメモリカード２に記録され、静止画撮影モードでは、画像データ処理部１００４で生成された静止画データが記録再生部１０３０を介してハードディスク装置４４またはメモリカード２に記録される。
また、制御部１０２６は、動画撮影用操作スイッチ３６の操作に基づいて動画データの記録の開始、記録の停止を行わせる。すなわち、制御部１０２６は、動画撮影用操作スイッチ３６の操作に基づいて画像データ処理部１００４および記録再生部１０３０に指令を与えることにより、画像データ処理部１００４から記録再生部１０３０に供給される動画データをハードディスク装置４４に記録させる動作を開始させ、あるいは、その動作を停止させる。本実施の形態では、制御部１０２６は、マイクロコンピュータ（汎用のマイクロプロセッサあるいはＤＳＰを含む）によって構成されている。
なお、本実施の形態では、映像信号用増幅部１００２、画像データ処理部１００４、制御部１０２６、記録再生部１０３０などによって特許請求の範囲の信号処理部が構成されている。
【００１３】
また、Ａ／Ｖ信号生成部１０２２は、記録再生部１０３０、あるいは、メモリカード制御部１０１８からインターフェース部１０２０を介して供給される動画（静止画）データ、音声データを所定の映像信号、音声信号に変換して出力するものである。
また、駆動電圧部１０２４は、バッテリー３８から供給される電力を所定の電圧、電流に調整して撮像装置１０の各部に供給し、あるいは、外部電源入力端子１０２５を介して外部の電源装置から供給される電力を所定の電圧、電流に調整して撮像装置１０の各部に供給する。また、外部の電源装置から供給される電力によってバッテリー３８の充電を行う。
ＵＳＢインターフェース部４７は、バス４６とマルチコネクタ４２との間に設けられ、制御部１０２６の指令に基づいて、マルチコネクタ４２およびクレードル２００を介して、バス４６と外部機器との間でのＵＳＢによるデータ通信を行うものである。
すなわち、撮像装置１０はクレードル２００に載置されることで外部機器との間で通信を行うように構成されている。
【００１４】
クレードル２００は、撮像装置１０が載置される置き台であり、パーソナルコンピュータ４のバスがケーブルを介して接続されるデータ通信コネクタ２１０、テレビジョン装置６の映像入力端子および音声入力端子がＡ／Ｖケーブルを介して接続されるＡ／Ｖコネクタ２１２、外部電源８が接続される外部電源端子２１４などを有している。
それら各コネクタ２１０、２１２、２１４はマルチコネクタ２０２に電気的に接続されている。
したがって、撮像装置１０がクレードル２００に載置されマルチコネクタ４２、２０２が接続された状態で、Ａ／Ｖ信号生成部１０２２から出力された映像信号、音声信号は、クレードル２００のＡ／Ｖコネクタ２１２に接続された外部のテレビジョン装置６に供給される。
また、撮像装置１０がクレードル２００に載置されマルチコネクタ４２、２０２が接続された状態で、クレードル２００の外部電源端子２１４に接続された外部電源８からの電力がマルチコネクタ２０２、４２を介して駆動電圧部１０２４に供給されることにより、駆動電圧部１０２４は前記供給された電力を所定の電圧、電流に調整して撮像装置１０の各部に供給撮像装置１０の各部に供給し、あるいは、バッテリー３８の充電を行う。
【００１５】
また、撮像装置１０がクレードル２００に載置されマルチコネクタ４２、２０２が接続された状態で、ＵＳＢインターフェース部４７は、クレードル２００のデータ通信コネクタ２１０に接続されたパーソナルコンピュータ４のバスに接続され、したがって、制御部１０２６とパーソナルコンピュータ４がデータ通信可能な状態となる。
また、クレードル２００には、一端がグランドに接続され他端がマルチコネクタ２０２の端子２４２に接続された１または２以上のスイッチ２２０が設けられている。
スイッチ２２０の他端に接続されたマルチコネクタ２０２の端子２４２に対応する撮像装置１０のマルチコネクタ４２の端子４２０２は制御部１０２６に接続されている。
したがって、撮像装置１０がクレードル２００に載置されマルチコネクタ４２、２０２が接続された状態で、スイッチ２２０を操作すると、端子２４２、４２０２を介してＬレベルの信号が制御部１０２６で検出される。
制御部１０２６は前記Ｌレベルの信号の検出に基づいて、ＵＳＢインターフェース部４７を制御することにより、ＵＳＢインターフェース部４７を介した撮像装置１０（電子機器）とパーソナルコンピュータ４（外部機器）との間でのＵＳＢによる所定のデータ通信を実行させる。
所定のデータ通信は、例えば、記録媒体としてのハードディスク装置４４に記録されている画像データおよび音声データを、パーソナルコンピュータ４に転送する動作であり、言い換えると、データのバックアップ動作である。
パーソナルコンピュータ４は、転送されたデータをそのパーソナルコンピュータ４のハードディスク装置にバックアップする。
あるいは、パーソナルコンピュータ４はそれに設けられている光ディスク装置により、転送されたデータをＤＶＤ−Ｒなどの光ディスクに書き込むことでバックアップする。
このように操作スイッチ２２０を操作するだけで、撮像装置１０で記録された画像データや音声データをパーソナルコンピュータ４のハードディスク装置や光ディスクに簡単にバックアップすることができ、撮像装置１０のハードディスク装置４４の故障などによるデータの消失に対応することができ有利となる。
【００１６】
次にハードディスク装置４４およびその収容構造について詳細に説明する。
図１１は図４の要部のＡＡ線断面図、図１２は図４の要部のＢＢ線断面図である。
図１３は撮像装置１０の右側面図である。
図１４乃至図１６は図１３のＡＡ線断面におけるカバー５２の装着動作の説明図である。
図１７乃至図１９は図１３のＢＢ線断面におけるカバー５２の装着動作の説明図である。
図２０乃至図２３はカバー５２の装着動作の説明図である。
【００１７】
ケース１２の右側面１２Ｆにはハードディスク用収容部５０が設けられ、ハードディスク用収容部５０を開閉するカバー５２が設けられ、カバー５２でハードディスク用収容部５０を閉塞した状態で、カバー５２の外面は右側面１２Ｆの一部（本実施の形態では大半の部分）を構成している。
図３に示すように、ハードディスク装置４４は、ハードディスクケース４５の内部に磁気ディスク、磁気ヘッドなどが組み込まれて構成され、ハードディスクケース４５は縦横の寸法よりも小さい厚さを有する扁平な矩形板状を呈し、その周囲には２つのダンパー５４が装着されている。
ハードディスク用収容部５０は、ハードディスクケース４５の縦、横、厚さよりも大きな寸法の縦、横、深さで形成され、本実施の形態では、ダンパー５４が装着された状態のハードディスクケース４５を収容できる寸法の縦、横、深さで形成されている。
ハードディスク用収容部５０は、その深さ方向の一方の面が矩形状の開口５６とされ、ハードディスク装置４４はダンパー５４が装着された状態のまま開口５６からハードディスク用収容部５０の深さ方向に沿って装脱される。
【００１８】
図３に示すように、開口５６を縁取る４つの縁のうちの１つの縁を含むケース１２の部分に、本実施の形態では上縁を含むケース１２の部分に、第１ケース側合わせ部５８が設けられている。
また、開口５６を縁取る４つの縁のうちの１つの縁に対向する別の１つの縁を含むケース１２の部分に、本実施の形態では下縁を含むケース１２の部分に、第２ケース側合わせ部６０が設けられている。
図３、図１１、図１２に示すように、第１ケース側合わせ部５８には、第１係合溝５８０２と、第２係合溝５８０４とが設けられている。
第１係合溝５８０２は、開口５６を上部を縁取る上縁の延在方向の中央部に設けられ、図１２に示すように、ハードディスク用収容部５０の深さ方向と平行する方向の深さを有して前記上縁の延在方向に沿って延在し、ケース１２の外側方に開放状に形成されている。
図３に示すように、第２係合溝５８０４は、開口５６の上部を縁取る上縁の延在方向において第１係合溝５８０２を挟む箇所に位置するように２つ設けられている。
各第２係合溝５８０４は、図１１に示すように、ハードディスク用収容部５０の深さ方向と直交する方向の深さ（開口５６の上縁の延在方向と直交する方向でハードディスク収容部５０に向かう方向の深さ）を有して前記上縁の延在方向に沿って延在している。
図１１、図１２に示すように、第２ケース側合わせ部６０には、下方を向いた平坦な外面部６００２が形成され、この外面部６００２には、複数のねじ孔（不図示）が形成されている。
また、本実施の形態では、開口５６の前部を縁取る前縁よりも前方のケース１２の箇所と、開口５６の後部を縁取る後縁より後方のケース１２の箇所にはそれぞれねじ孔（不図示）が形成されている。
【００１９】
図３に示すように、開口５６はカバー５２によって開閉され、カバー５２は、本体板部６２と、第１カバー側合わせ部６４と、第２カバー側合わせ部６６とを備えている。
本体板部６２は、開口５６を閉塞する大きさの矩形を呈している。
図１に示すように、本体板部６２の前部と後部にはそれぞれねじ挿通孔６２１０が形成されている。
図１１、図１２に示すように、第１カバー側合わせ部６４は、本体板部６２の上辺に湾曲部６３を介して連結され、第１カバー側合わせ部６４は本体板部６２に対して交差する方向（本実施の形態では直交する方向）に突出している。
湾曲部６３の内面および外面は、本体板部６２で開口５６が閉塞され第１カバー側合わせ部６４が第１ケース側合わせ部５８に重ね合わされ、第２カバー側合わせ部６６が第２ケース側合わせ部６０に重ね合わされた状態でハードディスク用収容部５０の外方に凸状の湾曲面で形成されている。
図１６、図１９に示すように、第１カバー側合わせ部６４は、本体板部６２と直交する方向で本体板部６２の上辺の全長にわたって延在する第１板部６４０２を含んで構成され、言い換えると、第１カバー側合わせ部６４は、湾曲部６３を介して本体板部６２と直交する第１板部６４０２を有している。
第１カバー側合わせ部６４に（第１板部６４０２に）、１つの第１係合凸部６４１０と２つの第２係合凸部６４１２が設けられている。
第１係合凸部６４１０は、本体板部６２で開口５６が閉塞され第１カバー側合わせ部６４が第１ケース側合わせ部５８に重ね合わされ、第２カバー側合わせ部６６が第２ケース側合わせ部６０に重ね合わされた状態でハードディスク用収容部５０の深さ方向に平行して突出し第１板部６４０２の延在方向に沿って延在している。
各第２係合凸部６４１２は、第１板部６４０２の延在方向において第１係合凸部６４１０を挟んだ箇所にそれぞれ設けられている。
各第２係合凸部６４１２は、ハードディスク用収容部５０の深さ方向と直交する方向（第１板部６４０２の延在方向と直交する方向でハードディスク用収容部５０に向かう方向）に突出し第１板部６４０２の延在方向に沿って延在している。
【００２０】
そして、図１９に示すように、第１係合凸部６４１０は、本体板部６２で開口５６が閉塞され第１カバー側合わせ部６４が第１ケース側合わせ部５８に重ね合わされた状態で第１係合溝５８０２に係合し、第１係合凸部６４１０と第１係合溝５８０２とが係合することで、ハードディスク用収容部５０の深さ方向と直交する方向へのカバー５２の移動（本体板部６２の上辺の延在方向と直交する方向でハードディスク用収容部５０に離間接近する方向へのカバー５２の移動）、すなわち、本実施の形態ではカバー５２の上下方向の移動が阻止されるように形成されている。
また、図１６に示すように、２つの第２係合凸部６４１２は、本体板部６２で開口５６が閉塞され第１カバー側合わせ部６４が第１ケース側合わせ部５８に重ね合わされた状態で対応する第２係合溝５８０４にそれぞれ係合し、第２係合凸部６４１２と第２係合溝５８０４とが係合することで、ハードディスク用収容部５０の深さ方向と平行する方向へのカバー５２の移動、すなわち、本実施の形態ではカバー５２の左右方向の移動が阻止されるように形成されている。
【００２１】
図１１、図１２に示すように、第２カバー側合わせ部６６は、本体板部６２に湾曲部６５を介して連結され、本体板部６２に対して交差する方向（本実施の形態では直交する方向）に突出している。
湾曲部６５の内面および外面は、本体板部６２で開口５６が閉塞され第１カバー側合わせ部６４が第１ケース側合わせ部５８に重ね合わされ、第２カバー側合わせ部６６が第２ケース側合わせ部６０に重ね合わされた状態でハードディスク用収容部５０の外方に凸状の湾曲面で形成されている。
図１１、図１２に示すように、第２カバー側合わせ部６６は、本体板部６２と直交する方向で本体板部６２の下辺の全長にわたって延在する第２板部６６０２を含んで構成されている。
第１カバー側合わせ部６４と第２カバー側合わせ部６６は対向し、すなわち、第１板部６４０２と第２板部６６０２とは対向している。
図１１、図１２に示すように、第２カバー側合わせ部６６が第２ケース側合わせ部６０に臨む箇所には、第２ケース側合わせ部６０の外面部６００２に当接可能な平坦な内面部６６１０が形成されている。
この内面部６６１０を含む第２板部６６０２の箇所には、図２０に示すように、前記複数のねじ孔（不図示）と同軸上に複数のねじ挿通孔６０１０が設けられている。
【００２２】
図１４乃至図２３に示すように、本体板部６２で開口５６が閉塞され、第１、第２係合凸部６４１０、６４１２がそれぞれ第１、第２係合溝５８０２、５８０４に挿入され、外面部６００２と内面部６６１０が当接されることで、第１カバー側合わせ部６４が第１ケース側合わせ部５８に重ね合わされるとともに、第２カバー側合わせ部６６が第２ケース側合わせ部６０に重ね合わされる。
そして、この状態で、図２３に示すように、ねじ挿通孔６０１０を通り前記ねじ孔に螺合するねじ６０１２が締結され、また、ねじ挿通孔６２１０を通り前記ケース１２のねじ孔にねじ６２１２が締結され、それらねじ６０１２、６０２２によりカバー５２がケース１２に取着される。
このようにカバー５２がケース１２に取着された状態で、図１１、図１２に示すように、第１カバー側合わせ部６４の外面は、ケース１２の上面１２Ｃと連続する仮想面上を延在し、また、第２カバー側合わせ部６６の外面は、ケース１２の底面１２Ｄと連続する仮想面上を延在しており、したがって、カバー５２は、ケース１２の右側面１２Ｆの一部のみならず、ケース１２の上面１２Ｃと底面１２Ｄの一部も構成している。
また、図１１、図１２に示すように、ダンパー５４の第１カバー側合わせ部６４寄りに位置する箇所、本実施の形態では、ハードディスクケース４５の上辺に装着されたダンパー５４は、本体板部６２がハードディスク用収容部５０に臨む内面で第１カバー側合わせ部６４寄りに位置する箇所とハードディスク用収容部５０の底部とにより挟持されている。また、ダンパー５４の第２カバー側合わせ部６６寄りに位置する箇所、本実施の形態では、ハードディスクケース４５の下辺に装着されたダンパー５４は、本体板部６２がハードディスク用収容部５０に臨む内面で第２カバー側合わせ部６６寄りに位置する箇所とハードディスク用収容部５０の底部とにより挟持されている。そして、ハードディスク装置４４は上述のようにダンパー５４が挟持されることでハードディスク用収容部５０内に保持され収容されている。
【００２３】
また、ケース１２の右側面１２Ｆの外側方を通るようにグリップベルト（不図示）が設けられ、本実施の形態ではカバー５２の外側方を通るようにグリップベルトが設けられ、グリップベルトの前後端はケース１２の前面１２Ａと後面１２Ｂにそれぞれ取着されており、カバー５２と前記グリップベルトとの間に右手の平の挿入空間が形成されている。したがって、撮像装置１０の使用者は、カバー５２と前記グリップベルトの間に右手のひらを挿入し、カバー５２およびこのカバー５２の上下に位置する箇所を掴んで撮影することになる。
【００２４】
本実施の形態の撮像装置１０によれば、カバー５２の第１、第２係合凸部６４１０、６４１２がそれぞれケース１２の第１、第２係合溝５８０２、５８０４に係合され、外面部６００２と内面部６６１０が当接されることでカバー５２のケース１２に取り付けられるため、従来のヒンジやロック機構を用いる構造に比較してカバー５２を取り付けるために必要な部品点数を新たに設けることなくカバー５２の上下方向および左右方向の移動を阻止でき、したがって、組み立て工数の削減、コストの削減、小型化を図る上で有利となる。
また、カバー５２の第１、第２係合凸部６４１０、６４１２がそれぞれケース１２の第１、第２係合溝５８０２、５８０４に係合されることで、カバー５２の上下方向および左右方向の双方の移動が阻止される。
特に、本実施の形態では、カバー５２はケース１２の右側面１２Ｆを構成し、撮像装置１０の使用時に把持される箇所となっているので、手で把持した際にカバー５２のがたつきが確実に防止され、撮像装置１０の操作性の向上を図る上で有利となる。
また、本実施の形態では、第２係合凸部６４１２および第２係合溝５８０４を、開口５６を縁取る上縁の延在方向において第１係合凸部６４１０および第１係合溝５８０２を挟む箇所に２つ設けたので、カバー５２の左右方向への移動を確実に阻止でき、カバー５２の部分を手で把持した際にカバー５２のがたつきがより確実に防止され、撮像装置１０の操作性の向上を図る上でより有利となっている。
【００２５】
また、ハードディスク用収容部５０がケース１２の側面に設けられ、このハードディスク収容部５０を開閉するカバー５２が設けられているので、ハードディスク装置４４の組み込みを、組み立て工程の最終段階で行うことが可能となる。したがって、強い衝撃や振動が加わるとハードディスク装置４４の内部の磁気ディスクや磁気ヘッドが互いに衝突して破損するなどのおそれがあるものの、本実施の形態によればハードディスク装置４４を最終段階で組み込むことから上述のおそれを解消する上で有利となる。
また、ハードディスク用収容部５０がケース１２の側面に設けられ、このハードディスク収容部５０を開閉するカバー５２が設けられているので、電子機器からハードディスク装置４４のみを簡単に装脱でき、したがって、販売後にハードディスク装置４４をより大きなデータ容量のハードディスク装置４４に交換する場合や、あるいは、ハードディスク装置４４を修理（メンテナンス）する場合などに、それらのハードディスク装置４４の交換作業や修理を簡単に行えるという効果も奏される。
また、ハードディスク装置４４がハードディスク用収容部５０を介してケース１２の右側面１２Ｆに設けられているので、撮像素子１８やディスプレイパネル２０などの熱を発する熱源を、ハードディスク装置４４から離れた例えば左側面寄りの箇所に配置でき、このように配置することでハードディスク装置４４の動作の安定性を高め寿命を延ばす上で有利となる。
【００２６】
なお、本実施の形態では、第１係合凸部６４１０をカバー５２に、第１係合溝５８０２をケース１２に設け、第２係合凸部６４１２をカバー５２に設け、第２係合溝５８０４をケース１２に設けた場合について説明したが、カバー５２またはケース１２の一方に、第１係合凸部６４１０を設け、他方に、第１係合溝５８０２を設ければよく、また、カバー５２またはケース１２の一方に、第２係合凸部６４１２を設け、他方に、第２係合溝５８０４を設ければよいが、実施の形態のように構成すると、コンパクト化を図る上で有利となる。
また、本実施の形態では、電子機器が撮像装置１０である場合について説明したが、本発明は撮像装置に限定されるものではなく、ハードディスク装置を有する様々な電子機器に広く適用可能である。
【図面の簡単な説明】
【００２７】
【図１】撮像装置１０の斜視図である。
【図２】撮像装置１０の斜視図である。
【図３】撮像装置１０の分解斜視図である。
【図４】撮像装置１０の右側面図である。
【図５】撮像装置１０の左側面図である。
【図６】撮像装置１０の正面図である。
【図７】撮像装置１０の後面図である。
【図８】撮像装置１０の平面図である。
【図９】撮像装置１０の底面図である。
【図１０】撮像装置１０の制御系の構成を示すブロック図である。
【図１１】図４の要部のＡＡ線断面図である。
【図１２】図４の要部のＢＢ線断面図である。
【図１３】撮像装置１０の右側面図である。
【図１４】図１３のＡＡ線断面におけるカバー５２の装着動作の説明図である。
【図１５】図１３のＡＡ線断面におけるカバー５２の装着動作の説明図である。
【図１６】図１３のＡＡ線断面におけるカバー５２の装着動作の説明図である。
【図１７】図１３のＢＢ線断面におけるカバー５２の装着動作の説明図である。
【図１８】図１３のＢＢ線断面におけるカバー５２の装着動作の説明図である。
【図１９】図１３のＢＢ線断面におけるカバー５２の装着動作の説明図である。
【図２０】カバー５２の装着動作の説明図である。
【図２１】カバー５２の装着動作の説明図である。
【図２２】カバー５２の装着動作の説明図である。
【図２３】カバー５２の装着動作の説明図である。
【符号の説明】
【００２８】
１０……撮像装置、１２……ケース、４４……ハードディスク装置、５０……ハードディスク用収容部、５２……カバー、５６……開口、５８……第１ケース側合わせ部、５８０２……第１係合溝、５８０４……第２係合溝、６２……本体板部、６４……第１カバー側合わせ部、６４１０……第１係合凸部、６４１２……第２係合凸部。
【図１】
0004662165.tif 000002
【図２】
0004662165.tif 000003
【図３】
0004662165.tif 000004
【図４】
0004662165.tif 000005
【図５】
0004662165.tif 000006
【図６】
0004662165.tif 000007
【図７】
0004662165.tif 000008
【図８】
0004662165.tif 000009
【図９】
0004662165.tif 000010
【図１０】
0004662165.tif 000011
【図１１】
0004662165.tif 000012
【図１２】
0004662165.tif 000013
【図１３】
0004662165.tif 000014
【図１４】
0004662165.tif 000015
【図１５】
0004662165.tif 000016
【図１６】
0004662165.tif 000017
【図１７】
0004662165.tif 000018
【図１８】
0004662165.tif 000019
【図１９】
0004662165.tif 000020
【図２０】
0004662165.tif 000021
【図２１】
0004662165.tif 000022
【図２２】
0004662165.tif 000023
【図２３】
0004662165.tif 000024